(57)【特許請求の範囲】
【請求項１】
出発地点から目的地点に至る船舶の航行に関し、前記船舶が前記出発地点を出発する時刻を示す出発時刻データを取得する手段と、
前記船舶が最も高速で航行した場合の目的地点への到着時刻を示す最早到着可能時刻データと、前記船舶が最も低速で航行した場合の目的地点への到着時刻を示す最遅到着可能時刻データとを取得する手段と、
第１のユーザが使用する第１の装置からネットワークを介して、前記船舶が前記目的地点に停泊可能な期間の開始時刻を示す停泊可能期間開始時刻データと、前記船舶が前記目的地点に停泊可能な期間の終了時刻を示す停泊可能期間終了時刻データとを取得する手段と、
前記最早到着可能時刻データが示す時刻と、前記最遅到着可能時刻データが示す時刻と、前記停泊可能期間開始時刻データが示す時刻と、前記停泊可能期間終了時刻データが示す時刻とを表す画像を、第２のユーザが使用する第２の装置の表示手段に表示させる手段と、
前記第２のユーザが前記画像の表示に応じて、任意の時刻を要求到着時刻として入力する操作を前記第２の装置の操作手段に対し行った場合、前記操作手段が生成した前記要求到着時刻を示す要求到着時刻データを前記第２の装置から取得する手段と、
前記船舶の航行における単位時間あたり又は単位距離あたりの燃料消費量を示す燃費データを取得する手段と、
前記船舶が前記出発地点から前記目的地点まで、前記出発時刻データが示す時刻から前記要求到着時刻データが示す時刻までの時間で、前記燃費データが示す燃費で航行を行った場合の推定燃料消費量を算出する手段と
を備え、
前記表示させる手段は、前記推定燃料消費量を表す画像を前記表示手段に表示させる
装置。
【請求項２】
前記表示させる手段は、前記第２のユーザの前記操作手段に対する操作に応じて連続的に移動する操作子を含む画像を前記表示手段に表示させ、
前記算出する手段は、前記操作子に対する前記第２のユーザの操作に応じて、前記操作データを取得する手段が前記操作手段から順次取得する要求到着時刻データに基づき、推定燃料消費量を順次算出し、
前記表示させる手段は、前記算出する手段により順次算出される推定燃料消費量を表す画像を前記表示手段に順次表示させる
請求項１に記載の装置。
【請求項３】
前記算出する手段は、一の期間内の複数の時刻を要求到着時刻とし、前記複数の要求到着時刻の各々に関し、前記船舶が前記出発地点から前記目的地点まで、前記出発時刻データが示す時刻から当該要求到着時刻までの時間で、前記燃費データが示す燃費で航行を行った場合の推定燃料消費量を算出し、
前記表示させる手段は、前記複数の要求到着時刻の各々に関し算出された推定燃料消費量を一度に表す画像を前記表示手段に表示させる
請求項１または２に記載の装置。
【請求項４】
前記船舶の航行中において、前記船舶に配置された装置からネットワークを介して、前記船舶が使用した燃料の消費量を示す使用済み燃料消費量データと、前記船舶の現在地点から前記目的地点までの距離を特定するためのデータとを受信する手段
を備え、
前記算出する手段は、前記船舶が前記距離を特定するためのデータが示す距離を、現在時刻から前記要求到着時刻データが示す時刻までの時間で、前記燃費データが示す燃費で航行を行った場合の推定燃料消費量を算出し、当該算出した推定燃料消費量と前記使用済み燃料消費量データが示す燃料消費量との合計値を更新された推定燃料消費量として算出し、
前記表示させる手段は、前記更新された推定燃料消費量を表す画像を前記表示手段に表示させる
請求項１乃至３のいずれか１項に記載の装置。
【請求項５】
前記要求到着時刻データを取得する手段が取得した要求到着時刻データが示す前記第２のユーザにより入力された要求到着時刻を示すデータを、ネットワークを介して、前記第１の装置に提供する手段
を備える請求項１乃至４のいずれか１項に記載の装置。
【請求項６】
前記要求到着時刻データを取得する手段が取得した要求到着時刻データ、および当該要求到着時刻データが示す要求到着時刻に前記目的地点に到着するための前記船舶の航行速度を示すデータの少なくとも一方を、ネットワークを介して、前記船舶に配置された装置に送信する手段
を備える請求項１乃至５のいずれか１項に記載の装置。
【請求項７】
前記第２の装置と同一筐体内に配置される
請求項１乃至６のいずれか１項に記載の装置。
【請求項８】
サーバ装置と、第１のユーザにより操作され前記サーバ装置とネットワークを介してデータ通信可能な第１の装置と、第２のユーザにより操作される第２の装置とを備え、
前記第２の装置は、前記サーバ装置と同一筐体内に配置されるか、もしくは前記サーバ装置と別体に構成され前記サーバ装置とネットワークを介してデータ通信可能であり、
前記サーバ装置は、
出発地点から目的地点に至る前記船舶の航行に関し、前記船舶が前記出発地点を出発する時刻を示す出発時刻データを取得する手段と、
前記船舶が最も高速で航行した場合の目的地点への到着時刻を示す最早到着可能時刻データと、前記船舶が最も低速で航行した場合の目的地点への到着時刻を示す最遅到着可能時刻データとを取得する手段と、
前記第１の装置から、前記船舶が前記目的地点に停泊可能な期間の開始時刻を示す停泊可能期間開始時刻データと、前記船舶が前記目的地点に停泊可能な期間の終了時刻を示す停泊可能期間終了時刻データとを取得する手段と、
前記最早到着可能時刻データが示す時刻と、前記最遅到着可能時刻データが示す時刻と、前記停泊可能期間開始時刻データが示す時刻と、前記停泊可能期間終了時刻データが示す時刻とを表す画像を、前記第１の装置の表示手段に表示させる手段と、
前記第２のユーザが前記画像の表示に応じて、任意の時刻を要求到着時刻として入力する操作を前記第２の装置の操作手段に対し行った場合、前記操作手段が生成した前記要求到着時刻を示す要求到着時刻データを前記第２の装置から取得する手段と、
前記船舶の航行における単位時間あたり又は単位距離あたりの燃料消費量を示す燃費データを取得する手段と、
前記船舶が前記出発地点から前記目的地点まで、前記出発時刻データが示す時刻から前記要求到着時刻データが示す時刻までの時間で、前記燃費データが示す燃費で航行を行った場合の推定燃料消費量を算出する手段と
を備え、
前記表示させる手段は、前記推定燃料消費量を表す画像を前記表示手段に表示させ、
前記第１の装置は、
前記停泊可能期間開始時刻データと前記停泊可能期間終了時刻データとを前記サーバ装置に提供する手段
を備え、
前記第２の装置は、
前記表示手段と、
前記操作手段と、
前記要求到着時刻データを前記サーバ装置に提供する手段と
を備える
システム。
【請求項９】
ネットワークを介して他の装置との間でデータ通信を行う通信手段を備えるコンピュータに、
出発地点から目的地点に至る船舶の航行に関し、前記船舶が前記出発地点を出発する時刻を示す出発時刻データを取得する処理と、
前記船舶が最も高速で航行した場合の目的地点への到着時刻を示す最早到着可能時刻データと、前記船舶が最も低速で航行した場合の目的地点への到着時刻を示す最遅到着可能時刻データとを取得する処理と、
第１のユーザが使用する第１の装置からネットワークを介して、前記船舶が前記目的地点に停泊可能な期間の開始時刻を示す停泊可能期間開始時刻データと、前記船舶が前記目的地点に停泊可能な期間の終了時刻を示す停泊可能期間終了時刻データとを取得する処理と、
前記最早到着可能時刻データが示す時刻と、前記最遅到着可能時刻データが示す時刻と、前記停泊可能期間開始時刻データが示す時刻と、前記停泊可能期間終了時刻データが示す時刻とを表す画像を、第２のユーザが使用する第２の装置の表示手段に表示させる処理と、
前記第２のユーザが前記画像の表示に応じて、任意の時刻を要求到着時刻として入力する操作を前記第２の装置の操作手段に対し行った場合、前記操作手段が生成した前記要求到着時刻を示す要求到着時刻データを前記第２の装置から取得する処理と、
前記船舶の航行における単位時間あたり又は単位距離あたりの燃料消費量を示す燃費データを取得する処理と、
前記船舶が前記出発地点から前記目的地点まで、前記出発時刻データが示す時刻から前記要求到着時刻データが示す時刻までの時間で、前記燃費データが示す燃費で航行を行った場合の推定燃料消費量を算出する処理と、
前記推定燃料消費量を表す画像を前記表示手段に表示させる処理と
を実行させるためのプログラム。
【請求項１０】
ネットワークを介して他の装置との間でデータ通信を行う通信手段を備えるコンピュータに、
出発地点から目的地点に至る船舶の航行に関し、前記船舶が前記出発地点を出発する時刻を示す出発時刻データを取得する処理と、
前記船舶が最も高速で航行した場合の目的地点への到着時刻を示す最早到着可能時刻データと、前記船舶が最も低速で航行した場合の目的地点への到着時刻を示す最遅到着可能時刻データとを取得する処理と、
第１のユーザが使用する第１の装置からネットワークを介して、前記船舶が前記目的地点に停泊可能な期間の開始時刻を示す停泊可能期間開始時刻データと、前記船舶が前記目的地点に停泊可能な期間の終了時刻を示す停泊可能期間終了時刻データとを取得する処理と、
前記最早到着可能時刻データが示す時刻と、前記最遅到着可能時刻データが示す時刻と、前記停泊可能期間開始時刻データが示す時刻と、前記停泊可能期間終了時刻データが示す時刻とを表す画像を、第２のユーザが使用する第２の装置の表示手段に表示させる処理と、
前記第２のユーザが前記画像の表示に応じて、任意の時刻を要求到着時刻として入力する操作を前記第２の装置の操作手段に対し行った場合、前記操作手段が生成した前記要求到着時刻を示す要求到着時刻データを前記第２の装置から取得する処理と、
前記船舶の航行における単位時間あたり又は単位距離あたりの燃料消費量を示す燃費データを取得する処理と、
前記船舶が前記出発地点から前記目的地点まで、前記出発時刻データが示す時刻から前記要求到着時刻データが示す時刻までの時間で、前記燃費データが示す燃費で航行を行った場合の推定燃料消費量を算出する処理と、
前記推定燃料消費量を表す画像を前記表示手段に表示させる処理と
を実行させるためのプログラムを持続的に記憶するコンピュータ読み取り可能な記録媒体。
【請求項１１】
出発地点から目的地点に至る船舶の航行に関し、前記サーバ装置が、前記船舶が前記出発地点を出発する時刻を示す出発時刻データを取得するステップと、
前記サーバ装置が、前記船舶が最も高速で航行した場合の目的地点への到着時刻を示す最早到着可能時刻データと、前記船舶が最も低速で航行した場合の目的地点への到着時刻を示す最遅到着可能時刻データとを取得するステップと、
前記サーバ装置が、第１のユーザが使用する第１の装置からネットワークを介して、前記船舶が前記目的地点に停泊可能な期間の開始時刻を示す停泊可能期間開始時刻データと、前記船舶が前記目的地点に停泊可能な期間の終了時刻を示す停泊可能期間終了時刻データとを取得するステップと、
第２のユーザが使用する第２の装置が前記サーバ装置の指示に従い、前記最早到着可能時刻データが示す時刻と、前記最遅到着可能時刻データが示す時刻と、前記停泊可能期間開始時刻データが示す時刻と、前記停泊可能期間終了時刻データが示す時刻とを表す画像を表示するステップと、
前記第２のユーザが前記画像の表示に応じて、任意の時刻を要求到着時刻として入力する操作を前記第２の装置に対し行った場合、前記第２の装置が前記サーバ装置に対し、前記要求到着時刻を示す要求到着時刻データを提供するステップと、
前記サーバ装置が、前記船舶の航行における単位時間あたり又は単位距離あたりの燃料消費量を示す燃費データを取得するステップと、
前記サーバ装置が、前記船舶が前記出発地点から前記目的地点まで、前記出発時刻データが示す時刻から前記要求到着時刻データが示す時刻までの時間で、前記燃費データが示す燃費で航行を行った場合の推定燃料消費量を算出するステップと、
前記第２の装置が前記サーバ装置の指示に従い前記推定燃料消費量を表す画像を表示するステップと
を備える方法。
【発明の詳細な説明】
【技術分野】
【０００１】
本発明は、船舶の目的地点への到着時刻を決定するための技術に関する。
【背景技術】
【０００２】
船舶の航行において、船舶が目的地点の港に到着する時刻や停泊している期間等の情報を、関係者の間で共有する必要がある。【０００３】
例えば、特許文献１には、船舶が目的地点の港域に到着する時刻や着岸する時刻を、ネットワークを介して船舶の積荷を運搬する運搬車の乗務者の携帯端末等に対し提供する仕組みが提案されている。この仕組みによれば、運搬車の乗務員は船舶の着岸時刻を事前に知ることができ、着岸時刻に応じた望ましい時刻に港湾に到着するように配送計画を立てることができる。その結果、港湾近辺における渋滞が軽減される等の効果が得られる。
【先行技術文献】
【特許文献】
【０００４】
【特許文献１】特開２００３−０３６２９９号公報
【発明の概要】
【発明が解決しようとする課題】
【０００５】
船舶の目的地点への到着時刻は、いくつかの条件を満たす必要がある。まず、船舶の航行可能速度には上限と下限があるため、目的地点へ到着可能な時刻は、主として出発地点からの出発時刻と、出発地点から目的地点までの距離とに応じて定まる一定の期間（以下、「到着可能期間」という）内に限られる。【０００６】
また、船舶が目的地点の港を利用できる期間は、船舶の入港手配等を行う船舶代理店により港湾管理事業者から割り当てを受けた期間（以下、「停泊可能期間」という）内に限られる。従って、船舶の到着時刻は、まず、停泊可能期間の開始時刻以降でなければならない。【０００７】
さらに、船舶は、停泊可能期間内に着岸、積荷の積み卸し、離岸等の作業を全て完了する必要がある。従って、船舶の到着時刻は、停泊可能期間の終了時刻より、これらの着岸、積荷の積み卸し、離岸等に要する時間（以下、「必要停泊時間」という）だけ前の時刻以前でなければならない。【０００８】
船会社の運航管理者は、上記のような条件を全て満たす期間内において望ましい到着時刻を決定する必要がある。ただし、望ましい到着時刻は通常、一義的に定まらないことが多い。航行に要する燃料の消費量は少ない方が望ましいが、一般的に到着時刻は遅い方が燃料消費量は少なくなる。従って、燃料消費量の観点からは、到着時刻は遅い方が望ましいことが多い。一方、積荷配送の依頼主は多くの場合、より早い到着時刻を希望する。従って、サービス品質の観点からは、到着時刻は早い方が望ましいことが多い。【０００９】
上記のように、望ましい船舶の到着時刻は一般的に一義的には定まらないため、運航管理者が個々の航行に関し、様々な条件（航行の予算や依頼主の希望の重要度等）を考慮して、個別に到着時刻を決定しなければならないケースが多くある。【００１０】
船舶の到着時刻を決定するために、一般的に、運航管理者はまず、船舶の操船者から電話や電子メール等で到着可能期間を知らせてもらい、続いて船舶代理店の担当者に電話や電子メール等で必要停泊時間と到着可能期間の前後における停泊可能期間を問い合わせる。続いて、運航管理者は到着可能期間、必要停泊時間、停泊可能期間を照らし合わせ、船舶の到着時刻として選択可能な期間（以下、「到着時刻候補期間」という）を特定する。【００１１】
続いて、運航管理者は、特定した到着時刻候補期間内において、例えば依頼主の希望を満たす到着時刻を選択し、選択した到着時刻に船舶が目的地点に到着するように航行を行った場合に使用される燃料の消費量を推計する。続いて、運航管理者は推計した燃料消費量に応じた燃料費用が、例えば予算内であるか否かを確認する。運航管理者は、推計した燃料消費量の燃料費用が予算内でなければ、他の到着時刻を選択して燃料消費量の推計を行う、という作業を、燃料費用が予算内となる燃料消費量が推計されるまで繰り返す。その結果、依頼主の希望を満たし、燃料費用が予算内となる到着時刻が特定される。【００１２】
運航管理者はこのように特定した到着時刻を、電話や電子メール等により船舶の操船者に通知する。操船者は運航管理者から通知された到着時刻（以下、「要求到着時刻」という）に目的地点に到着するように、航行速度を調節しつつ航行を行うことになる。【００１３】
上記のように、運航管理者は要求到着時刻の決定および通知のために、船舶代理店の担当者や操船者と情報のやりとりを行うとともに、燃料消費量の推計を繰り返し行う必要がある。これらの作業は繁雑であり、よりユーザフレンドリーな仕組みが望まれる。【００１４】
このような事情に鑑み、本発明は、運航管理者が行う要求到着時刻の決定および通知の作業を従来と比較し容易に可能とする手段の提供を目的とする。
【課題を解決するための手段】
【００１５】
上記課題を解決するため、出発地点から目的地点に至る船舶の航行に関し、前記船舶が前記出発地点を出発する時刻を示す出発時刻データを取得する手段と、前記船舶が最も高速で航行した場合の目的地点への到着時刻を示す最早到着可能時刻データと、前記船舶が最も低速で航行した場合の目的地点への到着時刻を示す最遅到着可能時刻データとを取得する手段と、第１のユーザが使用する第１の装置からネットワークを介して、前記船舶が前記目的地点に停泊可能な期間の開始時刻を示す停泊可能期間開始時刻データと、前記船舶が前記目的地点に停泊可能な期間の終了時刻を示す停泊可能期間終了時刻データとを取得する手段と、前記最早到着可能時刻データが示す時刻と、前記最遅到着可能時刻データが示す時刻と、前記停泊可能期間開始時刻データが示す時刻と、前記停泊可能期間終了時刻データが示す時刻とを表す画像を、第２のユーザが使用する第２の装置の表示手段に表示させる手段と、前記第２のユーザが前記画像の表示に応じて、任意の時刻を要求到着時刻として入力する操作を前記第２の装置の操作手段に対し行った場合、前記操作手段が生成した前記要求到着時刻を示す要求到着時刻データを前記第２の装置から取得する手段と、前記船舶の航行における単位時間あたり又は単位距離あたりの燃料消費量を示す燃費データを取得する手段と、前記船舶が前記出発地点から前記目的地点まで、前記出発時刻データが示す時刻から前記要求到着時刻データが示す時刻までの時間で、前記燃費データが示す燃費で航行を行った場合の推定燃料消費量を算出する手段とを備え、前記表示させる手段は、前記推定燃料消費量を表す画像を前記表示手段に表示させる装置
を提供する。【００１６】
上記の装置において、前記表示させる手段は、前記第２のユーザの前記操作手段に対する操作に応じて連続的に移動する操作子を含む画像を前記表示手段に表示させ、前記算出する手段は、前記操作子に対する前記第２のユーザの操作に応じて、前記操作データを取得する手段が前記操作手段から順次取得する要求到着時刻データに基づき、推定燃料消費量を順次算出し、前記表示させる手段は、前記算出する手段により順次算出される推定燃料消費量を表す画像を前記表示手段に順次表示させる、という構成が採用されてもよい。【００１７】
また、上記の装置において、前記算出する手段は、一の期間内の複数の時刻を要求到着時刻とし、前記複数の要求到着時刻の各々に関し、前記船舶が前記出発地点から前記目的地点まで、前記出発時刻データが示す時刻から当該要求到着時刻までの時間で、前記燃費データが示す燃費で航行を行った場合の推定燃料消費量を算出し、前記表示させる手段は、前記複数の要求到着時刻の各々に関し算出された推定燃料消費量を一度に表す画像を前記表示手段に表示させる、という構成が採用されてもよい。【００１８】
また、上記の装置において、前記船舶の航行中において、前記船舶に配置された装置からネットワークを介して、前記船舶が使用した燃料の消費量を示す使用済み燃料消費量データと、前記船舶の現在地点から前記目的地点までの距離を特定するためのデータとを受信する手段を備え、前記算出する手段は、前記船舶が前記距離を特定するためのデータが示す距離を、現在時刻から前記要求到着時刻データが示す時刻までの時間で、前記燃費データが示す燃費で航行を行った場合の推定燃料消費量を算出し、当該算出した推定燃料消費量と前記使用済み燃料消費量データが示す燃料消費量との合計値を更新された推定燃料消費量として算出し、前記表示させる手段は、前記更新された推定燃料消費量を表す画像を前記表示手段に表示させる、という構成が採用されてもよい。【００１９】
また、上記の装置において、前記要求到着時刻データを取得する手段が取得した要求到着時刻データが示す前記第２のユーザにより入力された要求到着時刻を示すデータを、ネットワークを介して、前記第１の装置に提供する手段を備える、という構成が採用されてもよい。【００２０】
また、上記の装置において、前記要求到着時刻データを取得する手段が取得した要求到着時刻データ、および当該要求到着時刻データが示す要求到着時刻に前記目的地点に到着するための前記船舶の航行速度を示すデータの少なくとも一方を、ネットワークを介して、前記船舶に配置された装置に送信する手段を備える、という構成が採用されてもよい。【００２１】
また、上記の装置において、前記第２の装置と同一筐体内に配置される、という構成が採用されてもよい。【００２２】
また、本発明は、サーバ装置と、第１のユーザにより操作され前記サーバ装置とネットワークを介してデータ通信可能な第１の装置と、第２のユーザにより操作される第２の装置とを備え、前記第２の装置は、前記サーバ装置と同一筐体内に配置されるか、もしくは前記サーバ装置と別体に構成され前記サーバ装置とネットワークを介してデータ通信可能であり、前記サーバ装置は、出発地点から目的地点に至る前記船舶の航行に関し、前記船舶が前記出発地点を出発する時刻を示す出発時刻データを取得する手段と、前記船舶が最も高速で航行した場合の目的地点への到着時刻を示す最早到着可能時刻データと、前記船舶が最も低速で航行した場合の目的地点への到着時刻を示す最遅到着可能時刻データとを取得する手段と、前記第１の装置から、前記船舶が前記目的地点に停泊可能な期間の開始時刻を示す停泊可能期間開始時刻データと、前記船舶が前記目的地点に停泊可能な期間の終了時刻を示す停泊可能期間終了時刻データとを取得する手段と、前記最早到着可能時刻データが示す時刻と、前記最遅到着可能時刻データが示す時刻と、前記停泊可能期間開始時刻データが示す時刻と、前記停泊可能期間終了時刻データが示す時刻とを表す画像を、前記第１の装置の表示手段に表示させる手段と、前記第２のユーザが前記画像の表示に応じて、任意の時刻を要求到着時刻として入力する操作を前記第２の装置の操作手段に対し行った場合、前記操作手段が生成した前記要求到着時刻を示す要求到着時刻データを前記第２の装置から取得する手段と、前記船舶の航行における単位時間あたり又は単位距離あたりの燃料消費量を示す燃費データを取得する手段と、前記船舶が前記出発地点から前記目的地点まで、前記出発時刻データが示す時刻から前記要求到着時刻データが示す時刻までの時間で、前記燃費データが示す燃費で航行を行った場合の推定燃料消費量を算出する手段とを備え、前記表示させる手段は、前記推定燃料消費量を表す画像を前記表示手段に表示させ、前記第１の装置は、前記停泊可能期間開始時刻データと前記停泊可能期間終了時刻データとを前記サーバ装置に提供する手段を備え、前記第２の装置は、前記表示手段と、前記操作手段と、前記要求到着時刻データを前記サーバ装置に提供する手段とを備えるシステムを提供する。【００２３】
また、本発明は、ネットワークを介して他の装置との間でデータ通信を行う通信手段を備えるコンピュータに、出発地点から目的地点に至る船舶の航行に関し、前記船舶が前記出発地点を出発する時刻を示す出発時刻データを取得する処理と、前記船舶が最も高速で航行した場合の目的地点への到着時刻を示す最早到着可能時刻データと、前記船舶が最も低速で航行した場合の目的地点への到着時刻を示す最遅到着可能時刻データとを取得する処理と、第１のユーザが使用する第１の装置からネットワークを介して、前記船舶が前記目的地点に停泊可能な期間の開始時刻を示す停泊可能期間開始時刻データと、前記船舶が前記目的地点に停泊可能な期間の終了時刻を示す停泊可能期間終了時刻データとを取得する処理と、前記最早到着可能時刻データが示す時刻と、前記最遅到着可能時刻データが示す時刻と、前記停泊可能期間開始時刻データが示す時刻と、前記停泊可能期間終了時刻データが示す時刻とを表す画像を、第２のユーザが使用する第２の装置の表示手段に表示させる処理と、前記第２のユーザが前記画像の表示に応じて、任意の時刻を要求到着時刻として入力する操作を前記第２の装置の操作手段に対し行った場合、前記操作手段が生成した前記要求到着時刻を示す要求到着時刻データを前記第２の装置から取得する処理と、前記船舶の航行における単位時間あたり又は単位距離あたりの燃料消費量を示す燃費データを取得する処理と、前記船舶が前記出発地点から前記目的地点まで、前記出発時刻データが示す時刻から前記要求到着時刻データが示す時刻までの時間で、前記燃費データが示す燃費で航行を行った場合の推定燃料消費量を算出する処理と、前記推定燃料消費量を表す画像を前記表示手段に表示させる処理とを実行させるためのプログラムを提供する。【００２４】
また、本発明は、ネットワークを介して他の装置との間でデータ通信を行う通信手段を備えるコンピュータに、出発地点から目的地点に至る船舶の航行に関し、前記船舶が前記出発地点を出発する時刻を示す出発時刻データを取得する処理と、前記船舶が最も高速で航行した場合の目的地点への到着時刻を示す最早到着可能時刻データと、前記船舶が最も低速で航行した場合の目的地点への到着時刻を示す最遅到着可能時刻データとを取得する処理と、第１のユーザが使用する第１の装置からネットワークを介して、前記船舶が前記目的地点に停泊可能な期間の開始時刻を示す停泊可能期間開始時刻データと、前記船舶が前記目的地点に停泊可能な期間の終了時刻を示す停泊可能期間終了時刻データとを取得する処理と、前記最早到着可能時刻データが示す時刻と、前記最遅到着可能時刻データが示す時刻と、前記停泊可能期間開始時刻データが示す時刻と、前記停泊可能期間終了時刻データが示す時刻とを表す画像を、第２のユーザが使用する第２の装置の表示手段に表示させる処理と、前記第２のユーザが前記画像の表示に応じて、任意の時刻を要求到着時刻として入力する操作を前記第２の装置の操作手段に対し行った場合、前記操作手段が生成した前記要求到着時刻を示す要求到着時刻データを前記第２の装置から取得する処理と、前記船舶の航行における単位時間あたり又は単位距離あたりの燃料消費量を示す燃費データを取得する処理と、前記船舶が前記出発地点から前記目的地点まで、前記出発時刻データが示す時刻から前記要求到着時刻データが示す時刻までの時間で、前記燃費データが示す燃費で航行を行った場合の推定燃料消費量を算出する処理と、前記推定燃料消費量を表す画像を前記表示手段に表示させる処理とを実行させるためのプログラムを持続的に記憶するコンピュータ読み取り可能な記録媒体を提供する。【００２５】
また、本発明は、出発地点から目的地点に至る船舶の航行に関し、前記サーバ装置が、前記船舶が前記出発地点を出発する時刻を示す出発時刻データを取得するステップと、前記サーバ装置が、前記船舶が最も高速で航行した場合の目的地点への到着時刻を示す最早到着可能時刻データと、前記船舶が最も低速で航行した場合の目的地点への到着時刻を示す最遅到着可能時刻データとを取得するステップと、前記サーバ装置が、第１のユーザが使用する第１の装置からネットワークを介して、前記船舶が前記目的地点に停泊可能な期間の開始時刻を示す停泊可能期間開始時刻データと、前記船舶が前記目的地点に停泊可能な期間の終了時刻を示す停泊可能期間終了時刻データとを取得するステップと、第２のユーザが使用する第２の装置が前記サーバ装置の指示に従い、前記最早到着可能時刻データが示す時刻と、前記最遅到着可能時刻データが示す時刻と、前記停泊可能期間開始時刻データが示す時刻と、前記停泊可能期間終了時刻データが示す時刻とを表す画像を表示するステップと、前記第２のユーザが前記画像の表示に応じて、任意の時刻を要求到着時刻として入力する操作を前記第２の装置に対し行った場合、前記第２の装置が前記サーバ装置に対し、前記要求到着時刻を示す要求到着時刻データを提供するステップと、前記サーバ装置が、前記船舶の航行における単位時間あたり又は単位距離あたりの燃料消費量を示す燃費データを取得するステップと、前記サーバ装置が、前記船舶が前記出発地点から前記目的地点まで、前記出発時刻データが示す時刻から前記要求到着時刻データが示す時刻までの時間で、前記燃費データが示す燃費で航行を行った場合の推定燃料消費量を算出するステップと、前記第２の装置が前記サーバ装置の指示に従い前記推定燃料消費量を表す画像を表示するステップとを備える方法を提供する。
【発明の効果】
【００２６】
本発明によれば、第１のユーザ（運航管理者）は第１の装置に表示される時刻を見ることにより到着時刻候補期間を容易に知ることができる。また、本発明によれば、第１のユーザは到着時刻候補期間内の任意の時刻を第１の装置に入力することにより、当該時刻を要求到着時刻とした場合の推定燃料消費量を第１の装置に表示させることができる。従って、第１のユーザは、依頼主の希望等を満たし、かつ、燃料消費量に応じた燃料費用が予算内となるような要求到着時刻を容易に決定することができる。さらに、第１のユーザにより決定された要求到着時刻は船舶に配置された第２の装置に自動的に通知される。そのため、第１のユーザが要求到着時刻を操船者等に通知する手間を要しない。
【図面の簡単な説明】
【００２７】
【図１】本発明の一実施形態にかかる航行スケジュール調整システムの全体構成を示した図である。
【図２】本発明の一実施形態にかかる端末装置およびサーバ装置のハードウェア構成を示した図である。
【図３】本発明の一実施形態にかかる船会社端末装置の機能構成を示した図である。
【図４】本発明の一実施形態にかかる船舶代理店端末装置の機能構成を示した図である。
【図５】本発明の一実施形態にかかる船舶端末装置の機能構成を示した図である。
【図６】本発明の一実施形態にかかるサーバ装置の機能構成を示した図である。
【図７】本発明の一実施形態にかかる燃料データのデータ構成を示した図である。
【図８Ａ】本発明の一実施形態にかかる航行スケジュール調整システムが実行する処理のフローを示した図である。
【図８Ｂ】本発明の一実施形態にかかる航行スケジュール調整システムが実行する処理のフローを示した図である。
【図８Ｃ】本発明の一実施形態にかかる航行スケジュール調整システムが実行する処理のフローを示した図である。
【図８Ｄ】本発明の一実施形態にかかる航行スケジュール調整システムが実行する処理のフローを示した図である。
【図９】本発明の一実施形態にかかる各端末装置において表示される管理ページを示した図である。
【図１０】本発明の一実施形態にかかる航行スケジュール調整システムが実行する処理のフローを示した図である。
【図１１】本発明の一変形例にかかる各端末装置において表示される管理ページを示した図である。
【発明を実施するための形態】
【００２８】
［１．実施形態］
以下に本発明の一実施形態にかかる航行スケジュール調整システム１を説明する。航行スケジュール調整システム１は、船舶の航行開始時および航行中において、船会社の運航管理者、船舶代理店の担当者、船舶の操船者、の各々が、各自の使用する端末装置を用いてサーバ装置が提供する管理ページにアクセスして航行スケジュールに関する各種データを入力するとともに、それらの各種データを閲覧することで共有するためのシステムである。
【００２９】
また、航行スケジュール調整システム１においてサーバ装置から運航管理者の端末装置に提供される管理ページにおいては、運航管理者が、船舶が目的地点に到着すべき時刻である要求到着時刻を決定する作業を支援するために、運航管理者が仮の要求到着時刻（以下、「仮要求到着時刻」という）を入力すると、入力された仮要求到着時刻に船舶が目的地点に到着する航行速度で航行した場合の出発地点から目的地点までの推定燃料消費量がサーバ装置により算出され、管理ページに表示される。より具体的には、運航管理者は管理ページに表示されるスライダをスライドさせる操作により仮要求到着時刻の入力を行い、その操作に応じて連続的に変化する推定燃料消費量を見ることができる。
【００３０】
［１．１．構成］
まず、航行スケジュール調整システム１の構成を説明する。図１は、航行スケジュール調整システム１の全体構成を模式的に示した図である。航行スケジュール調整システム１は、陸上に配置され船会社の運航管理者（以下、単に「運航管理者」という）により使用される船会社端末装置１１と、陸上に配置され船舶代理店の担当者（以下、「代理店担当者」という）により使用される船舶代理店端末装置１２と、船舶９に配置され船舶９の操船者により使用される船舶端末装置１３と、これらの端末装置の各々に管理ページ（Ｗｅｂページ）の提供を行うサーバ装置２１を備えている。なお、船舶９は出発地点Ｓから目的地点Ｅに至る航路上を航行する。
【００３１】
船会社端末装置１１、船舶代理店端末装置１２および船舶端末装置１３（以下、これらの装置を総称して、単に「端末装置」という）は各々、ネットワークを介してサーバ装置２１との間で各種データ通信を行う。なお、通信衛星８が必要に応じてこれらの端末装置とサーバ装置２１との間のデータ通信を中継する。
【００３２】
船会社端末装置１１、船舶代理店端末装置１２、船舶端末装置１３およびサーバ装置２１は、ネットワークを介して他の情報処理装置との間でデータ通信を行う通信手段を備えた一般的なコンピュータである。すなわち、これらの装置は各々、図２に示すように、本体１０１、表示装置１０２および操作装置１０３を備えている。
【００３３】
本体１０１は、プログラムに従い各種データ処理を行うＣＰＵ１０１１、ＢＩＯＳ等の基本的なプログラムを記憶するＲＯＭ１０１２、データを一時的に記憶しＣＰＵ１０１１が作業領域として利用するＲＡＭ１０１３、ＯＳやアプリケーションプログラム等のプログラムやその他の各種データを記憶するＨＤＤ１０１４、他の情報処理装置との間でデータ通信を行う通信ＩＦ（InterFace）１０１５、表示装置１０２や操作装置１０３との間で各種データの入出力を行う入出力ＩＦ１０１６を備えている。
【００３４】
表示装置１０２は、液晶ディスプレイ等の表示装置であり、本体１０１から出力される画像データに従い画像を表示する。操作装置１０３は、キーボード、マウス、タッチパネル等の操作装置であり、ユーザの操作に応じた信号を生成し本体１０１に対し出力することで、ユーザの本体１０１に対するデータ入力を受け付ける。
【００３５】
なお、表示装置１０２および操作装置１０３の一方もしくは両方は、本体１０１と同じ筐体内に配置される構成が採用されてもよいし、本体１０１とは異なる筐体内に配置され、本体１０１にケーブル等で接続される構成が採用されてもよい。
【００３６】
図３は、船会社端末装置１１の機能構成を模式的に示した図である。すなわち、船会社端末装置１１は、船会社端末装置１１のＨＤＤ１０１４に記憶されているアプリケーションプログラムに従う処理を実行することにより、図３に示す機能構成部を備える装置として機能する。
【００３７】
船会社端末装置１１は、機能構成部として、運航管理者に対し管理ページを表示する表示手段１１１と、運航管理者のデータ入力を受け付ける操作手段１１２と、サーバ装置２１に対し各種データを送信する送信手段１１３と、サーバ装置２１から各種データを受信する受信手段１１４を備えている。
【００３８】
送信手段１１３は、運航管理者により入力された出発時刻を示す出発時刻データを送信する手段、運航管理者により入力された仮要求到着時刻を示す仮要求到着時刻データを送信する手段、運航管理者により入力された要求到着時刻を示す要求到着時刻データを送信する手段としての役割を果たす。
【００３９】
また、受信手段１１４は、出発地点Ｓから目的地点Ｅまでの推定燃料消費量を示す推定燃料消費量データを受信する手段としての役割を果たす。
【００４０】
図４は、船舶代理店端末装置１２の機能構成を模式的に示した図である。すなわち、船舶代理店端末装置１２は、船舶代理店端末装置１２のＨＤＤ１０１４に記憶されているアプリケーションプログラムに従う処理を実行することにより、図４に示す機能構成部を備える装置として機能する。
【００４１】
船舶代理店端末装置１２は、機能構成部として、代理店担当者に対し管理ページを表示する表示手段１２１と、代理店担当者のデータ入力を受け付ける操作手段１２２と、サーバ装置２１に対し各種データを送信する送信手段１２３と、サーバ装置２１から各種データを受信する受信手段１２４を備えている。
【００４２】
送信手段１２３は、代理店担当者により入力された停泊可能期間の開始時刻を示す停泊可能期間開始時刻データを送信する手段としての役割を果たす。
【００４３】
また、受信手段１２４は、要求到着時刻データを受信する手段としての役割を果たす。
【００４４】
図５は、船舶端末装置１３の機能構成を模式的に示した図である。すなわち、船舶端末装置１３は、船舶端末装置１３のＨＤＤ１０１４に記憶されているアプリケーションプログラムに従う処理を実行することにより、図５に示す機能構成部を備える装置として機能する。
【００４５】
船舶端末装置１３は、機能構成部として、操船者に対し管理ページを表示する表示手段１３１と、操船者のデータ入力を受け付ける操作手段１３２と、サーバ装置２１に対し各種データを送信する送信手段１３３と、サーバ装置２１から各種データを受信する受信手段１３４を備えている。
【００４６】
また、船舶端末装置１３は、使用済み燃料消費量データ取得手段１３５と、現在地点データ取得手段１３６を備えている。使用済み燃料消費量データ取得手段１３５は、船舶９の航行中に船舶９が出発地点Ｓから現在地点Ｋまでの航行で使用した燃料の消費量を示す使用済み燃料消費量データを取得する。使用済み燃料消費量データは、例えば船舶９に設けられた燃料流量計により計測された値に基づき算出された燃料消費量を示すデータである。現在地点データ取得手段１３６は、現在地点Ｋの位置を示す現在位置データを取得する。現在位置データは、例えば船舶９に設けられたＧＰＳにより計測された緯度経度を示すデータである。
【００４７】
送信手段１３３は、操船者により入力された船舶９が目的地点に到着可能な最も早い時刻を示す最早到着可能時刻データを送信する手段、使用済み燃料消費量データを送信する手段、現在位置データを送信する手段としての役割を果たす。
【００４８】
また、受信手段１３４は、要求到着時刻データを受信する手段としての役割を果たす。
【００４９】
図６は、サーバ装置２１の機能構成を模式的に示した図である。すなわち、サーバ装置２１は、サーバ装置２１のＨＤＤ１０１４に記憶されているアプリケーションプログラムに従う処理を実行することにより、図６に示す機能構成部を備える装置として機能する。
【００５０】
サーバ装置２１は、機能構成部として、各端末装置から各種データを受信する受信手段２１１と、各端末装置に対し各種データを送信する送信手段２１２と、管理ページの表示を指示する表示指示データを生成する表示指示データ生成手段２１３を備えている。
【００５１】
また、サーバ装置２１は、船舶９の航行速度（対地船速または対水船速）と燃費（単位時間当たりの燃料消費量）との対応表を示す燃料データを記憶する燃料データ記憶手段２１４と、推定燃料消費量を算出する推定燃料消費量算出手段２１５と、管理ページにおいて表示され運航管理者、代理店担当者および操船者により共有されるデータである管理データを記憶する管理データ記憶手段２１６を備えている。
【００５２】
図７は、燃料データのデータ構成を模式的に示した図である。図７に示されるように、燃料データは船舶９の航行速度と燃費との対応関係を示す。なお、燃料データは、例えば、船舶９の過去の航行において実測された航行速度と当該航行速度における燃費に基づき生成されたデータ、もしくは、船舶９の物理シミュレーションモデルに従い演算されたデータである。
【００５３】
受信手段２１１は、船会社端末装置１１から出発時刻データを受信する手段、船舶端末装置１３から最早到着可能時刻データを受信する手段、船会社端末装置１１から仮要求到着時刻データおよび要求到着時刻データを受信する手段、船舶端末装置１３から使用済み燃料消費量データを受信する手段、船舶端末装置１３から現在地点データを受信する手段としての役割を果たす。
【００５４】
送信手段２１２は、船会社端末装置１１に推定燃料消費量データを送信する手段、船舶代理店端末装置１２および船舶端末装置１３に要求到着時刻データを送信する手段としての役割を果たす。
【００５５】
［１．２．動作］
続いて、航行スケジュール調整システム１の動作を説明する。図８Ａ、図８Ｂ、図８Ｃ及び図８Ｄ（以下、これらの図を総称して「図８」という）は、航行スケジュール調整システム１が実行する処理のフローを示した図である。船舶９の航行が開始する前に、まず、運航管理者が船会社端末装置１１を操作してブラウザを起動し、管理ページのＵＲＬを入力すると、船会社端末装置１１は管理ページの表示指示データ（例えば、ＨＴＭＬデータ）の要求をサーバ装置２１に送信する（ステップＳ１０１−１）。この要求に応じて、サーバ装置２１は管理ページの表示指示データを船会社端末装置１１に送信する（ステップＳ１０１−２）。船会社端末装置１１は受信した表示指示データに従い、管理ページを表示する（ステップＳ１０１−３）。以下、各端末装置がサーバ装置２１に対し管理ページの表示指示データの要求を送信する処理から管理ページを表示する処理までの一連の処理を、「管理ページにアクセスする」のように記載する（ステップＳ１０１）。
【００５６】
図９は、各端末装置において表示される管理ページを例示した図である。以下、図９を参照しつつ図８の処理の説明を行う。管理ページには、大きく領域Ａ１〜Ａ５の領域が含まれている。領域Ａ１には、この航行を識別する航行番号、航行を行う船舶の船舶名、出発地点、目的地点、出発時刻の入力欄が表示される。領域Ａ２には、出発時刻７０１と現在時刻７０２が表示される。
【００５７】
領域Ａ３は、左右方向を時間軸（右方向を正）とするタイムチャートを表示するための領域である。そのため、領域Ａ３には、まず、概ね航行に要する期間をカバーする日付と、それらの日付を区切る縦方向の破線が表示される。また、領域Ａ３には、左右方向の実線で示されるライン８０１〜８０５と、これらのライン上に配置されるオブジェクト９０１〜９１０が表示される。
【００５８】
オブジェクト９０１の左右方向の位置は、船舶９が最も高速で航行した場合の目的地点Ｅへの到着時刻の推定値である最早到着可能時刻ＡＷＳを示す。また、オブジェクト９０２の左右方向の位置は、船舶９が最も低速で航行した場合の目的地点Ｅへの到着時刻の推定値である最遅到着可能時刻ＡＷＥを示す。従って、これらのオブジェクトを結ぶオブジェクト９０３は、船舶９が目的地点Ｅに到着可能と推定される時間帯を示す。ユーザ（通常は操船者）は、ドラッグ等の操作により、オブジェクト９０１および９０２をライン８０１に沿って左右に移動することにより、最早到着可能時刻ＡＷＳおよび最遅到着可能時刻ＡＷＥを入力することができる。
【００５９】
オブジェクト９０４の左右方向の位置は、港湾管理事業者から割り当てられた目的地点Ｅの港湾における船舶９の停泊可能期間の開始時刻である停泊可能期間開始時刻ＢＷＳを示す。また、オブジェクト９０５の左右方向の位置は、停泊可能期間の終了時刻である停泊可能期間終了時刻ＢＷＥを示す。従って、これらのオブジェクトを結ぶオブジェクト９０６は停泊可能期間を示す。ユーザ（通常は代理店担当者）は、ドラッグ等の操作により、オブジェクト９０４および９０５をライン８０２に沿って左右に移動することにより、停泊可能期間開始時刻ＢＷＳおよび停泊可能期間終了時刻ＢＷＥを入力することができる。
【００６０】
オブジェクト９０７の左右方向の位置は、代理店担当者が運航管理者に対し提案する着桟時刻である予定着桟時刻ＥＴＢを示す。また、オブジェクト９０８の左右方向の位置は、代理店担当者が運航管理者に対し提案する出港時刻である予定出港時刻ＥＴＤを示す。これらのオブジェクトを結ぶオブジェクト９０９の長さは、荷積みや荷下ろし等のために船舶９が港湾に停泊を要する時間である必要停泊時間を示す。ユーザ（通常は代理店担当者）は、ドラッグ等の操作により、オブジェクト９０７および９０８をライン８０３に沿って左右に移動することにより、予定着桟時刻ＥＴＢおよび予定出港時刻ＥＴＤを入力することができる。
【００６１】
オブジェクト９１０の左右方向の位置は、船舶９が目的地点Ｅに到着すべき時刻として運航管理者が暫定的に設定する時刻である仮要求到着時刻ＲＴＡＳを示す。運航管理者は、ドラッグ等の操作により、オブジェクト９１０をライン８０４に沿って左右に移動することにより、仮要求到着時刻ＲＴＡＳを入力することができる。本実施形態においては、運航管理者がオブジェクト９１０をライン８０４に沿って左右に移動させると、オブジェクト９１０の左右方向の位置が示す仮要求到着時刻ＲＴＡＳに応じた推定燃料消費量がリアルタイムに算出（後述）され、領域Ａ４の仮推定燃料消費量の欄に表示される。
【００６２】
オブジェクト９１１の左右方向の位置は、船舶９が目的地点Ｅに到着すべき時刻として運航管理者が設定した時刻である要求到着時刻ＲＴＡを示す。運航管理者は、オブジェクト９１０をライン８０４に沿って左右に移動させ、領域Ａ４に表示される仮推定燃料消費量を考慮しつつ、望ましい要求到着時刻を特定すると、領域Ａ５に表示される「ＲＴＡの更新」ボタンをクリック等により操作する。その操作に応じて、その時点におけるオブジェクト９１０の左右方向の位置と一致するように、オブジェクト９１１の左右方向の位置がライン８０５に沿って自動的に移動する。なお、ユーザはオブジェクト９１１を直接、ドラッグ等の操作により移動させることはできない。
【００６３】
領域Ａ４には、出発地点Ｓから現在位置Ｋまでの航行において使用した燃料消費量である使用済み燃料消費量、オブジェクト９１０の移動により運航管理者によって入力される仮要求到着時刻ＲＴＡＳに応じた全航行における燃料消費量の推定値である仮推定燃料消費量、「ＲＴＡの更新」ボタンの操作により運航管理者によって入力される要求到着時刻ＲＴＡに応じた全航行における燃料消費量の推定値である推定燃料消費量、が表示される。なお、仮推定燃料消費量の値は、運航管理者によるオブジェクト９１０の移動に伴いリアルタイムに更新表示される点は既述のとおりである。
【００６４】
領域Ａ５には、ユーザによりクリック等により操作される「新規作成」ボタン、「更新」ボタン、「ＲＴＡの更新」ボタン、が表示される。「新規作成」ボタンは、新たな航行に関する管理ページの生成を指示するためのボタンである。「更新」ボタンは、管理ページにおいて入力したデータを確定するためのボタンである。「ＲＴＡの更新」ボタンは、既述のように、オブジェクト９１０の移動により入力された仮要求到着時刻ＲＴＡＳを要求到着時刻ＲＴＡに反映させるためのボタンである。
【００６５】
以上が管理ページの説明である。引き続き、図８の処理の説明を行う。運航管理者は、管理ページにおいて「新規作成」ボタンをクリック等する。この操作に応じて、船会社端末装置１１はサーバ装置２１に新規の管理データの生成の要求を送信する（ステップＳ１０２）。この要求に応じて、サーバ装置２１は、各項目が空データの管理データを生成し記憶するとともに、生成した管理データを用いて新たな管理ぺージの表示指示データを生成し、船会社端末装置１１に送信する（ステップＳ１０３）。船会社端末装置１１は受信した表示指示データに従い、新規の管理ページを表示する（ステップＳ１０４）。なお、ステップＳ１０４で表示される管理ページの領域Ａ１およびＡ４の各欄は空であり、領域Ａ２には出発時刻７０１と現在時刻７０２の初期値として、例えば現在時刻が表示される。また、領域Ａ３の各オブジェクトは初期値として、例えば現在の日付の開始を示す破線上に概ね並ぶ位置に表示される。
【００６６】
続いて、運航管理者は管理ページの領域Ａ１の各欄に、航行番号、船舶名、出発地点、目的地点、出発時刻を入力し、「更新」ボタンをクリック等する（ステップＳ１０５）。入力されたこれらのデータ（出発時刻データ等）は、船会社端末装置１１からサーバ装置２１に送信される（ステップＳ１０６）。サーバ装置２１は受信したデータにより、管理データを更新する（ステップＳ１０７）。
【００６７】
なお、図８のフローでは図示を省略しているが、運航管理者、代理店担当者または操船者により管理ページにおいてデータ入力が行われ、管理データが更新された場合、サーバ装置２１から各端末装置にその旨の通知が送信される。
【００６８】
ステップＳ１０７が完了した後、操船者は船舶端末装置１３に表示される管理データの更新の通知を見て、管理ページにアクセスする（ステップＳ１０８）。操船者は、管理ページに表示される出発時刻と、出発地点から目的地点までの航行距離、別途入手した気象・海象に関する予報等を考慮して、最早到着可能時刻ＡＷＳと最遅到着可能時刻ＡＷＥを推定する。
【００６９】
操船者は、管理ページにおいてオブジェクト９０１および９０２をドラッグ等し、推定した最早到着可能時刻ＡＷＳおよび最遅到着可能時刻ＡＷＥを入力し、「更新」ボタンをクリック等する（ステップＳ１０９）。操船者により入力された最早到着可能時刻ＡＷＳを示すデータ（最早到着可能時刻データ）および最遅到着可能時刻ＡＷＥを示すデータ（最遅到着可能時刻データ）は、船舶端末装置１３からサーバ装置２１に送信される（ステップＳ１１０）。サーバ装置２１は受信したデータにより、管理データを更新する（ステップＳ１１１）。
【００７０】
ステップＳ１１１が完了した後、代理店担当者は船舶代理店端末装置１２に表示される管理データの更新の通知を見て、管理ページにアクセスする（ステップＳ１１２）。代理店担当者は、管理ページに表示される最早到着可能時刻ＡＷＳおよび最遅到着可能時刻ＡＷＥと、必要停泊時間等を考慮して、港湾管理事業者と連絡を取り、望ましい停泊可能期間の割り当てを受け、管理ページにおいてオブジェクト９０４および９０５をドラッグ等し、停泊可能期間開始時刻ＢＷＳと停泊可能期間終了時刻ＢＷＥを入力する。
【００７１】
また、代理店担当者は、割り当てられた停泊可能期間および必要停泊時間を考慮して予定着桟時刻ＥＴＢと予定出港時刻ＥＴＤを決定すると、管理ページにおいてオブジェクト９０７および９０８をドラッグ等し、それらの時刻を入力する。代理店担当者は、停泊可能期間開始時刻ＢＷＳと停泊可能期間終了時刻ＢＷＥおよび予定着桟時刻ＥＴＢと予定出港時刻ＥＴＤの入力を行った後、「更新」ボタンをクリック等する（ステップＳ１１３）。この操作に応じて、代理店担当者により入力されたこれらの時刻を示すデータ（停泊可能期間開始時刻データ等）は、船舶代理店端末装置１２からサーバ装置２１に送信される（ステップＳ１１４）。サーバ装置２１は受信したデータにより、管理データを更新する（ステップＳ１１５）。
【００７２】
ステップＳ１１５が完了した後、運航管理者は船会社端末装置１１に表示される管理データの更新の通知を見て、管理ページにアクセスする（ステップＳ１１６）。運航管理者は、管理ページに表示される最早到着可能時刻ＡＷＳと最遅到着可能時刻ＡＷＥ、停泊可能期間開始時刻ＢＷＳと停泊可能期間終了時刻ＢＷＥ、予定着桟時刻ＥＴＢと予定出港時刻ＥＴＤを考慮しつつ、オブジェクト９１０をドラッグ等して、仮要求到着時刻ＲＴＡＳを入力する（ステップＳ１１７）。
【００７３】
運航管理者がオブジェクト９１０（操作子）をドラッグ等の操作により左右方向に移動すると、オブジェクト９１０の左右方向の位置に応じた仮要求到着時刻ＲＴＡＳを示すデータ（仮要求到着時刻データ）が順次、船会社端末装置１１からサーバ装置２１に送信される（ステップＳ１１８）。サーバ装置２１は仮要求到着時刻データを受信すると、それらの仮要求到着時刻データに基づき、航行速度の算出を行う（ステップＳ１１９）。具体的には、サーバ装置２１は出発地点Ｓから目的地点Ｅまでの距離ｄを、出発時刻から仮要求到着時刻ＲＴＡＳまでの時間ｔで除すことにより、船舶９が仮要求到着時刻ＲＴＡＳに目的地点Ｅに到着するための航行速度ｖを算出する。
【００７４】
続いて、サーバ装置２１は、算出した航行速度ｖに応じた燃費ｆを、燃費データ（図７）から特定する（ステップＳ１２０）。なお、燃費データが、航行速度ｖと一致するデータを含まない場合、サーバ装置２１は航行速度ｖの前後の航行速度に応じた燃費の値を補間することにより、航行速度ｖに応じた燃費ｆを特定する。
【００７５】
続いて、サーバ装置２１は、特定した燃費ｆに基づき、推定燃料消費量Ｆを算出する（ステップＳ１２１）。具体的には、サーバ装置２１は燃費ｆに、出発時刻から仮要求到着時刻ＲＴＡＳまでの時間ｔを乗ずることにより、船舶９が仮要求到着時刻ＲＴＡＳに目的地点Ｅに到着するように航行を行った場合の推定燃料消費量Ｆを算出する。
【００７６】
サーバ装置２１は算出した推定燃料消費量Ｆを示すデータを用いて管理データを更新した後（ステップＳ１２２）、管理ページの仮推定燃料消費量の欄に表示させる表示指示データを生成し、船会社端末装置１１に送信する（ステップＳ１２３）。なお、ステップＳ１１８〜Ｓ１２３の処理は、オブジェクト９１０の移動に伴い船会社端末装置１１からサーバ装置２１に順次送信される仮要求到着時刻データの各々に関し行われる。船会社端末装置１１は、サーバ装置２１から順次送信されてくる表示指示データに従い管理ページの表示を順次更新する（ステップＳ１２４）。運航管理者は、このように順次更新される管理ページの仮推定燃料消費量の欄の値により、オブジェクト９１０を操作して入力した仮要求到着時刻ＲＴＡＳを採用した場合の推定燃料消費量を即座に知ることができる。
【００７７】
運航管理者は、仮推定燃料消費量の欄の値が、例えば予算等に照らして妥当な値であるか否かを判断し、妥当な値でない場合には、オブジェクト９１０を操作して仮要求到着時刻ＲＴＡＳの再入力を行う。その操作に応じて、ステップＳ１１７〜Ｓ１２４の処理が繰り返される。
【００７８】
運航管理者は、仮推定燃料消費量の欄の値が妥当な値を示し、最早到着可能時刻ＡＷＳ等に照らしスケジュール上も妥当な仮要求到着時刻ＲＴＡＳを特定すると、「ＲＴＡの更新」ボタンをクリック等する。この操作は、仮要求到着時刻ＲＴＡＳを要求到着時刻ＲＴＡとして入力する操作である（ステップＳ１２５）。船会社端末装置１１は、要求到着時刻ＲＴＡ（すなわち、「ＲＴＡの更新」ボタンをクリック等した際の仮要求到着時刻ＲＴＡＳ）を示すデータ（要求到着時刻データ）をサーバ装置２１に送信する（ステップＳ１２６）。サーバ装置２１は受信したデータにより、管理データを更新する（ステップＳ１２７）。
【００７９】
なお、ステップＳ１２６の更新直後の管理データに従い表示される管理ページにおいては、推定燃料消費量の欄の値が仮推定燃料消費量の欄の値と一致し、要求到着時刻ＲＴＡを示すオブジェクト９１１の左右方向の位置が、仮要求到着時刻ＲＴＡＳを示すオブジェクト９１０の位置と一致する。
【００８０】
ステップＳ１２６が完了した後、操船者および代理店担当者は各々、船舶端末装置１３または船舶代理店端末装置１２に表示される管理データの更新の通知を見て、管理ページにアクセスし（ステップＳ１２８、ステップＳ１２９）、管理データに表示される要求到着時刻ＲＴＡを確認する。
【００８１】
その後、出発時刻になると、操船者は管理ページにより通知される要求到着時刻ＲＴＡに目的地点Ｅに到着するように航行速度を調整しつつ、航行を開始する。船舶９の航行中、使用済み燃料消費量と残航距離が継続的に変化する。航行スケジュール調整システム１においては、航行中における使用済み燃料消費量と残航距離の変化に応じて、管理データが継続的に更新される。
【００８２】
図１０は、船舶９の航行中に航行スケジュール調整システム１が行う処理のフローを示した図である。船舶端末装置１３は、例えば所定時間の経過毎に（ステップＳ２０１；Ｙｅｓ）、船舶９に設けられた燃料の流量計から得られる使用済み燃料消費量データと、ＧＰＳから得られる現在地点データをサーバ装置２１に送信する（ステップＳ２０２）。
【００８３】
サーバ装置２１は、船舶端末装置１３から使用済み燃料消費量データと現在地点データを受信する毎に、上述したステップＳ１１９〜Ｓ１２２と類似の処理を行う。すなわち、サーバ装置２１はまず、航行速度の算出を行う（ステップＳ２０３）。具体的には、サーバ装置２１は現在地点データが示す現在地点Ｋから目的地点Ｅまでの距離ｄ’を、現在時刻から要求到着時刻ＲＴＡまでの時間ｔ’で除すことにより、船舶９が要求到着時刻ＲＴＡに目的地点Ｅに到着するための航行速度ｖ’を算出する。
【００８４】
続いて、サーバ装置２１は、算出した航行速度ｖ’に応じた燃費ｆ’を、燃費データ（図７）から特定する（ステップＳ２０４）。続いて、サーバ装置２１は、特定した燃費ｆ’に基づき、現在地点Ｋから目的地点Ｅまでの残航における推定燃料消費量Ｆ’を算出する（ステップＳ２０５）。具体的には、サーバ装置２１は燃費ｆ’に、現在時刻から要求到着時刻ＲＴＡまでの時間ｔ’を乗ずることにより、船舶９が要求到着時刻ＲＴＡに目的地点Ｅに到着するように航行を行った場合の推定燃料消費量Ｆ’を算出する。
【００８５】
続いて、サーバ装置２１は、ステップ２０２において受信した使用済み燃料消費量データが示す使用済み燃料消費量に、ステップ２０５において算出した推定燃料消費量Ｆ’を加算し、出発地点Ｓから目的地点Ｅまでの全航行に関する推定燃料消費量Ｆを算出する（ステップＳ２０６）。
【００８６】
サーバ装置２１は算出した推定燃料消費量Ｆを示すデータを用いて管理データを更新する（ステップＳ２０７）。その結果、航行中に各端末装置が管理ページへのアクセスを行うと、管理ページにおいては、使用済み燃料消費量および現在位置に応じて更新された推定燃料消費量Ｆが推定燃料消費量の欄に表示されることになる。
【００８７】
運航管理者は、管理ページに表示される推定燃料消費量が、例えば予算内に収まらない等の妥当でない値となった場合、速やかにそれを知ることができる。その場合、運航管理者は、例えば代理店担当者に停泊可能期間ＢＷの変更を依頼し、新たに割り当てられた停泊可能期間ＢＷに応じた、推定燃料消費量Ｆが妥当な値となる要求到着時刻ＲＴＡを管理ページで入力することにより、操船者に対し航行スケジュールの変更を指示することができる。
【００８８】
以上のように、航行スケジュール調整システム１によれば、運航管理者、代理店担当者および操船者は航行スケジュールに関する情報を管理ページにより共有することができるとともに、運航管理者はスケジュールと燃料消費量の両方の観点から妥当な要求到着時刻ＲＴＡを容易に決定することができる。
【００８９】
［２．変形例］
上述した実施形態は本発明の一具体例であって、本発明の技術的思想の範囲内で様々に変形することができる。以下にそれらの変形の例を示す。
【００９０】
（１）上述した実施形態においては、オブジェクト９１０のドラッグ等に応じて入力される仮要求到着時刻ＲＴＡＳに応じて算出される推定燃料消費量Ｆが仮推定燃料消費量の欄に表示される態様が採用されている。これに加えて、または代えて、例えば最早到着可能時刻ＡＷＳから最遅到着可能時刻ＡＷＥまでといった所定の期間内において仮要求到着時刻ＲＴＡＳを様々に変化させた場合の推定燃料消費量Ｆを算出し、仮要求到着時刻ＲＴＡＳと推定燃料消費量Ｆとの対応関係を、例えばグラフや対応表の形式で一覧表示する構成が採用されてもよい。
【００９１】
図１１は、例として、図９に示した管理ページに、最早到着可能時刻ＡＷＳから最遅到着可能時刻ＡＷＥまでの期間内において、仮要求到着時刻ＲＴＡＳを１時間単位で変化させた場合の仮要求到着時刻ＲＴＡＳと仮推定燃料消費量の対応表９１２が表示される様子を示した図である。ただし、図１１の例では、最早到着可能時刻ＡＷＳから最遅到着可能時刻ＡＷＥまでの期間内のうち、対応表９１２の表示領域内に収まる一部期間内の仮要求到着時刻ＲＴＡＳと仮推定燃料消費量が表示され、オブジェクト９１０の移動に伴い、表示内容が上下方向に自動的にスクロールする。
【００９２】
この場合、オブジェクト９１０の移動に伴い、オブジェクト９１０の左右方向の位置に応じた仮要求到着時刻ＲＴＡＳを示す仮要求到着時刻データが船会社端末装置１１からサーバ装置２１に送信されると、サーバ装置２１において、当該仮要求到着時刻データが示す仮要求到着時刻ＲＴＡＳとその前後の複数の仮要求到着時刻ＲＴＡＳの各々に関し推定燃料消費量Ｆの算出が行われ、算出した推定燃料消費量Ｆを示すデータがサーバ装置２１から船会社端末装置１１へ送信される表示指示データに含まれることになる。
【００９３】
また、図１１の例では、対応表９１２は、例えばユーザによりオブジェクト９１０がドラッグ等により移動されている間のみ、オブジェクト９１０の近傍にポップアップ表示される。ただし、対応表９１２は管理ページの固定位置に常時表示される等、他の表示態様が採用されてもよい。なお、対応表９１２の左側の矢印９１３は現在ユーザにより入力されている仮要求到着時刻ＲＴＡＳを示している。すなわち、ユーザがオブジェクト９１０を移動させると、その移動に伴い矢印９１３が上下方向に移動する。
【００９４】
このように、表やグラフによって様々な仮要求到着時刻ＲＴＡＳに応じた仮推定燃料消費量が一覧できれば、運航管理者は要求到着時刻ＲＴＡの変更に応じた推定燃料消費量Ｆの変化を直感的に知ることができ、要求到着時刻ＲＴＡの決定がより容易となる。
【００９５】
また、オブジェクト９１０を操作することにより仮要求到着時刻ＲＴＡＳを入力することに加えて、もしくはそれに代えて、ユーザが、例えば対応表９１２に一覧表示される複数の仮要求到着時刻ＲＴＡＳの候補の中から望ましい仮要求到着時刻ＲＴＡＳを選択することにより、仮要求到着時刻ＲＴＡＳの入力を可能とする構成が採用されてもよい。
【００９６】
（２）上述した実施形態においては、船舶端末装置１３はサーバ装置２１から、管理ページの表示指示データの形式で、要求到着時刻ＲＴＡを取得する構成が採用されている。これに加えて、もしくは代えて、船舶端末装置１３はサーバ装置２１から、要求到着時刻ＲＴＡに目的地点Ｅに到着するための航行速度ｖ（航行開始前）または航行速度ｖ’（航行中）を示すデータを取得する構成が採用されてもよい。この場合、操船者は管理ページにおいて通知される航行速度ｖまたは航行速度ｖ’で航行を行えばよい。
【００９７】
また、船舶端末装置１３がサーバ装置２１から航行速度ｖまたは航行速度ｖ’を示すデータを取得する場合、船舶端末装置１３が当該データを船舶９のエンジン等の駆動装置の制御部に入力することにより、船舶９が航行速度ｖまたは航行速度ｖ’で航行するように自動制御される構成が採用されてもよい。
【００９８】
（３）上述した実施形態においては、サーバ装置２１は船会社端末装置１１、船舶代理店端末装置１２および船舶端末装置１３から独立した装置として構成されている。これに代えて、サーバ装置２１がこれらの端末装置のいずれかと一体に構成されてもよい。例えば、サーバ装置２１と船会社端末装置１１が１つの筐体内に配置されてもよい。この場合、サーバ装置２１と船会社端末装置１１との間の各種データの受け渡しは、ネットワークを介さずに装置内で行われることになる。
【００９９】
（４）上述した実施形態においては、航行速度に応じた燃費を特定するにあたり、航行速度と燃費の対応関係を表形式で示す燃費データ（図７）が用いられる構成が採用されている。これに代えて、例えば航行速度と燃費との関係を関数式により示す燃費データが、航行速度に応じた燃費の特定に用いられてもよい。
【０１００】
例えば、燃費ｆが概ね航行速度の３乗に比例して増加する場合、定数をａ、航行速度をｖとすると、燃費ｆは以下の式１により近似される。
【数１】
0005438871.tif 000002
【０１０１】
従って、サーバ装置２１は燃費データとして、図７に示す表形式のデータに代えて、上記の関数式を示すデータに従い、推定燃料消費量の算出を行ってもよい。
【０１０２】
その場合、航行開始前において、全航行に関する推定燃料消費量Ｆは、出発地点Ｓから目的地点Ｅまでの距離をｄ、出発時刻をｔ０、仮要求到着時刻ＲＴＡＳをｔ２とすると、以下のように算出される。
【数２】
0005438871.tif 000003
【０１０３】
また、航行開始後において、残航に関する推定燃料消費量Ｆ’は、航行速度をｖ’、現在地点Ｋから目的地点Ｅまでの距離をｄ’、現在時刻をｔ１、仮要求到着時刻ＲＴＡＳをｔ２、燃費をｆ’とすると、以下のように算出される。
【数３】
0005438871.tif 000004
【０１０４】
従って、航行開始後において、全航行に関する推定燃料消費量Ｆは、出発地点Ｓから現在時点Ｋまでの航行における使用済み燃料消費量をＧとすると、以下のように算出される。
【数４】
0005438871.tif 000005
【０１０５】
なお、上記の式１はあくまで航行速度と燃費との関係を近似する関数式の例示であって、他の様々な関数式が採用され得る。
【０１０６】
（５）上述した実施形態においては、推定燃料消費量を算出するための燃費の特定にあたり、航行速度のみをパラメータとして考慮する構成が採用されている。燃費の特定にあたり考慮されるパラメータは航行速度のみに限定されず、航行における燃費に影響を与える他の様々なパラメータを考慮する構成が採用されてもよい。そのようなパラメータとしては、例えば、風向、風速等の気象に関するパラメータ、波高、波向、波周期、潮速、潮向等の海象に関するパラメータ、喫水やトリム等の積荷に応じたパラメータ、船体汚れやプロペラ汚れ等の船体の状態に応じたパラメータ等がある。
【０１０７】
この場合、図７に示した燃費データに代えて、これらのパラメータの様々な組み合わせに応じた燃費を示す燃費データをサーバ装置２１に記憶させておく。そして、例えばサーバ装置２１が気象・海象データを配信するサーバ装置から、航行期間における航路上の風向、風速、波高、波向、波周期、潮速、潮向等の予測データを取得する。また、操船者が船舶端末装置１３を用いて喫水やトリム等を示すデータを入力し、船舶端末装置１３からサーバ装置２１にそれらのデータを送信させる。また、運航管理者が船会社端末装置１１を用いて船体汚れやプロペラ汚れ等を示すデータを入力し、船会社端末装置１１からサーバ装置２１にそれらのデータを送信させる。サーバ装置２１は、受信したこれらのデータに示されるパラメータに応じた燃費を燃費データに基づき特定し、推定燃料消費量の算定に用いるようにすればよい。
【０１０８】
また、推定燃料消費量を算出するための燃費の特定にあたり航行速度以外のパラメータを反映させる方法は、上記のように、各種パラメータの組み合わせに応じた燃費を示す燃費データを用いる方法に限られない。例えば、航路上の海流・潮流による航行速度（対水船速）の増減（±ｄｖ）を予想し、図７に示した燃費データに従い航行速度ｖ＋ｄｖまたはｖ−ｄｖに応じた燃費を特定する構成が採用されてもよい。
【０１０９】
（６）上述した実施形態においては、燃費として単位時間あたりの燃料消費量が採用されているが、これに代えて、燃費として単位距離あたりの燃料消費量が採用されてもよい。この場合、航行前における推定燃料消費量Ｆは、出発地点Ｓから目的地点Ｅまでの距離ｄに燃費を乗じることで算出され、航行中における推定燃料消費量Ｆ’は、現在地点Ｋから目的地点Ｅまでの距離ｄ’に燃費を乗じることで算出される。
【０１１０】
（７）上述した実施形態においては、例えば出発時刻データは運航管理者により船会社端末装置１１に入力され、船会社端末装置１１からサーバ装置２１に送信される。また、最早到着可能時刻データは操船者により船舶端末装置１３に入力され、船舶端末装置１３からサーバ装置２１に送信される。サーバ装置２１がいずれのデータを船会社端末装置１１および船舶端末装置１３のいずれから取得するかは任意に変更可能である。例えば、出発時刻データが操船者により管理されている場合、出発時刻データは操船者により船舶端末装置１３に入力され、船舶端末装置１３からサーバ装置２１に送信されてもよい。また、運航管理者が、例えば出発時刻と船舶９の航行可能な速度等から最早到着可能時刻や最遅到着可能時刻を特定可能な場合、最早到着可能時刻データや最遅到着可能時刻データは運航管理者により船会社端末装置１１に入力され、船会社端末装置１１からサーバ装置２１に送信されてもよい。さらに、サーバ装置２１が船舶９の航行可能な速度等を示すデータを取得し、出発時刻データとそれらのデータに基づき、最早到着可能時刻データや最遅到着可能時刻データを算出する構成が採用されてもよい。
【０１１１】
（８）上述した実施形態においては、船舶９の航行中に、船舶端末装置１３がＧＰＳにより計測された現在位置を示す現在位置データ（残航行距離を特定するためのデータの一例）をサーバ装置２１に送信し、サーバ装置２１は船舶端末装置１３から受信した現在地点データに基づき船舶９の残航行距離（現在地点Ｋから目的地点Ｅまでの距離ｄ’）を特定する。サーバ装置２１が船舶９の残航行距離を特定する方法はこれに限られない。例えば、操船者が今後の航行ルートを踏まえて推定した残航行距離を示すデータ（残航行距離を特定するためのデータの他の一例）を船舶端末装置１３に入力し、船舶端末装置１３が入力された残航行距離を示すデータをサーバ装置２１に送信し、サーバ装置２１は船舶端末装置１３から受信したデータが示す残航行距離を現在地点Ｋから目的地点Ｅまでの距離ｄ’として特定する構成としてもよい。そのような構成によれば、例えば操船者が気象・海象等の状況を考慮して予定のルートとは異なるルートを航行するような場合であっても、サーバ装置２１において比較的正確な推定燃料消費量Ｆの推定を行うことができる。
【０１１２】
（９）上述した実施形態においては、各端末装置およびサーバ装置２１は、一般的なコンピュータに、アプリケーションプログラムに従った処理を実行させることにより実現される構成が採用されている。これに代えて、各端末装置およびサーバ装置２１の少なくとも一つが、ハードウェア的に図３〜図６に模式的に示される機能構成部を実現する、いわゆる専用装置として構成されてもよい。
【０１１３】
なお、本発明は、船会社端末装置１１、船舶代理店端末装置１２、船舶端末装置１３およびサーバ装置２１に例示される装置、航行スケジュール調整システム１に例示されるシステム、コンピュータを船会社端末装置１１、船舶代理店端末装置１２、船舶端末装置１３またはサーバ装置２１として機能させるプログラム、当該プログラムを持続的に記憶するコンピュータ読み取り可能な記録媒体、航行スケジュール調整システム１を構成する各装置（船会社端末装置１１、船舶代理店端末装置１２、船舶端末装置１３およびサーバ装置２１）が実行する処理の方法、の各々として把握される。
【符号の説明】
【０１１４】
１…航行スケジュール調整システム、８…通信衛星、９…船舶、１１…船会社端末装置、１２…船舶代理店端末装置、１３…船舶端末装置、２１…サーバ装置、１０１…本体、１０２…表示装置、１０３…操作装置、１１１…表示手段、１１２…操作手段、１１３…送信手段、１１４…受信手段、１２１…表示手段、１２２…操作手段、１２３…送信手段、１２４…受信手段、１３１…表示手段、１３２…操作手段、１３３…送信手段、１３４…受信手段、１３５…使用済み燃料消費量データ取得手段、１３６…現在地点データ取得手段、２１１…受信手段、２１２…送信手段、２１３…表示指示データ生成手段、２１４…燃料データ記憶手段、２１５…推定燃料消費量算出手段、２１６…管理データ記憶手段、１０１１…ＣＰＵ、１０１２…ＲＯＭ、１０１３…ＲＡＭ、１０１４…ＨＤＤ、１０１５…通信ＩＦ、１０１６…入出力ＩＦ
【要約】
船舶の航行において、運航管理者が行う要求到着時刻の決定および通知の作業を容易にする。運航管理者、代理店担当者および操船者は、各自の端末装置を用いてサーバ装置から提供される管理ページを表示させる。管理ページにおいて、運航管理者は出発時刻等を入力し、操船者は最早到着可能時刻等を入力し、代理店担当者は停泊可能期間開始時刻等を入力する。管理ページに入力された情報は運航管理者、代理店担当者および操船者の各々により閲覧、共有される。運航管理者は、管理ページに表示される情報を参照しつつ、操作子９０７を操作して仮要求到着時刻ＲＴＡＳを入力する。サーバ装置は入力された仮要求到着時刻ＲＴＡＳに目的地点に到着するように航行を行った場合の推定燃料消費量を算出する。算出された推定燃料消費量は管理ページに表示され、運航管理者が要求到着時刻ＲＴＡを決定する際に利用される。【図１】
0005438871.tif 000006
【図２】
0005438871.tif 000007
【図３】
0005438871.tif 000008
【図４】
0005438871.tif 000009
【図５】
0005438871.tif 000010
【図６】
0005438871.tif 000011
【図７】
0005438871.tif 000012
【図８Ａ】
0005438871.tif 000013
【図８Ｂ】
0005438871.tif 000014
【図８Ｃ】
0005438871.tif 000015
【図８Ｄ】
0005438871.tif 000016
【図９】
0005438871.tif 000017
【図１０】
0005438871.tif 000018
【図１１】
0005438871.tif 000019